(57)【要約】【課題】開口率が大きくて明るい表示が可能なＦＦＳモードの性質を兼ね備えたＩＰＳモードの液晶表示装置を提供すること。【解決手段】本発明は、液晶層を挟持して対向配置された一対の基板を有する液晶表示装置１０Ａにおいて、前記一対の基板の一方には、独立して駆動される画素が複数形成され、前記各画素内に、離間領域２０を挟んで同一平面に平行に並んで形成されている第１電極２１及び第２電極２２と、前記第１電極２１及び第２電極２２より基板側に絶縁層を介して形成された第３電極１８とを備え、前記第３電極１８は、前記第１電極２１と平面視で重なるように形成されていると共に、前記第２電極２２と電気的に接続されていることを特徴とする。【選択図】図３
2009186869.tif 000002
【特許請求の範囲】
【請求項１】
液晶層を挟持して対向配置された一対の基板を有する液晶表示装置において、
前記一対の基板の一方には、独立して駆動される画素が複数形成され、
前記各画素内に、離間領域を挟んで平行に並んで形成されている第１電極及び第２電極
と、前記第１電極及び第２電極より基板側に絶縁層を介して形成された第３電極とを備え
、
前記第３電極は、前記第１電極と平面視で重なるように形成されていると共に、前記第
２電極と電気的に接続されていることを特徴とする液晶表示装置。
【請求項２】
前記第１電極と第２電極との間及び前記第１電極と第３電極との間には、それぞれ電界
が形成されるようになされていることを特徴とする請求項１に記載の液晶表示装置。
【請求項３】
前記第３電極は透明導電性材料で形成されていることを特徴とする請求項１に記載の液
晶表示装置。
【請求項４】
前記第３電極は前記各画素に亘って共通にベタ状に形成されていることを特徴とする請
求項１又は２に記載の液晶表示装置。
【請求項５】
前記第１電極及び第２電極は、同一平面に、共に櫛歯状に形成され、予め定めた所定処
理隔てて互いに噛み合うように配置されていることを特徴とする請求項１に記載の液晶表
示装置。
【請求項６】
前記第１電極及び第２電極は互いに前記基板の一方に形成された走査線又は信号線に沿
って伸びた櫛歯状に形成されていることを特徴とする請求項５に記載の液晶表示装置。
【請求項７】
前記第３電極は前記各画素に形成された平坦化膜の表面に形成されていることを特徴と
する請求項１〜６の何れかに記載の液晶表示装置。
【発明の詳細な説明】
【技術分野】
【０００１】
本発明は、横電界方式の液晶表示装置に関する。更に詳しくは、本発明は、開口率が大
きくて明るい表示が可能なフリンジ・フィールド・スィッチング（Fringe Field Switchi
ng：以下、「ＦＦＳ」という。）モードの性質を兼ね備えたＩＰＳ（In-Plane Switching
）モードの液晶表示装置に関する。
【背景技術】
【０００２】
液晶表示装置としては、ＴＮ（Twisted Nematic）モード、ＶＡ（Vertical Alignment
）モード、ＭＶＡ（Multi-domain Vertical Alignment）モード等の縦電界方式のものが
多く使用されているが、一方の基板にのみ電極を備えた横電界方式の液晶表示装置も知ら
れている、この横電界方式の液晶表示装置のうち、ＩＰＳモードの液晶表示装置の動作原
理を図７及び図８を用いて説明する（下記特許文献１及び２参照）。
【０００３】
図７は従来例のＩＰＳモードの液晶表示装置のカラーフィルタ基板を透視して表した１
画素分の模式平面図である。図８は図７のVIII−VIII線に沿った断面図である。
【０００４】
このＩＰＳモードの液晶表示装置５０は、アレイ基板ＡＲとカラーフィルタ基板ＣＦと
を備えている。アレイ基板ＡＲは、第１の透明基板５１の表面にそれぞれ平行に複数の走
査線５２及びコモン配線５３が設けられ、これら走査線５２及びコモン配線５３に交差す
る方向に複数の信号線５４が設けられている。そして、各画素の中央部にコモン配線５３
から帯状に、例えば櫛歯状の対向電極（「共通電極」ともいわれる）５５が設けられ、こ
の対向電極５５の周囲を挟むように同じく櫛歯状の画素電極５６が設けられている。そし
て、この対向電極５５及び画素電極５６の表面は例えば窒化硅素からなる保護絶縁膜５７
及びポリイミド等からなる配向膜５８によって被覆されている。
【０００５】
また、走査線５２と信号線５４との交差点近傍にはスイッチング素子としてのＴＦＴ（
Thin Film Transistor：薄膜トランジスタ）が形成されている。このＴＦＴは、走査線５
２と信号線５４との間に半導体層５９が配置され、半導体層５９上の信号線部分がＴＦＴ
のソース電極Ｓを構成し、半導体層５９の下部の走査線１２部分がゲート電極Ｇを構成し
、また、半導体層５９の一部分と重なる導電性層がドレイン電極Ｄを構成しており、この
ドレイン電極Ｄは画素電極５６に接続されている。
【０００６】
また、カラーフィルタ基板ＣＦは、第２の透明基板６０の表面にカラーフィルタ層６１
、オーバーコート層６２及び配向膜６３が設けられた構成を有している。そして、アレイ
基板ＡＲの画素電極５６及び対向電極５５とカラーフィルタ基板ＣＦのカラーフィルタ層
６１側とが互いに対向するように、アレイ基板ＡＲ及びカラーフィルタ基板ＣＦを対向さ
せる。次いで、アレイ基板ＡＲとカラーフィルタ基板ＣＦの間に液晶ＬＣを封入すると共
に、両基板のそれぞれ外側に偏光板６４及び６５を偏光方向が互いに交差する方向となる
ように配置することにより、ＩＰＳモードの液晶表示装置５０が形成される。
【０００７】
このＩＰＳモードの液晶表示装置５０は、図８に示したように、画素電極５６と対向電
極５５との間に電界を形成すると、水平方向に配向していた液晶が水平方向に旋回するこ
とによりバックライトからの入射光の透過量を制御することができる。このＩＰＳモード
の液晶表示装置５０は、広視野角で、高コントラストであるという長所があるが、対向電
極５５がコモン配線５３ないし走査線５２と同じ金属材料で形成されるために開口率及び
透過率が低いという問題点が存在する。また、図示省略したが、画素電極５６と対向電極
５５とが平面視で重複していないため、従来の縦電界方式の液晶表示装置の場合と同様に
、別途各画素に保持容量を形成する必要があるため、この保持容量形成部分によって開口
度が低下するという問題点も存在している。
【０００８】
このようなＩＰＳモードの液晶表示装置の問題点を解決するために、ＦＦＳモードの液
晶表示装置が開発されている（下記特許文献３及び４参照）。このＦＦＳモードの液晶表
示装置の動作原理を図９及び図１０を用いて説明する。
【０００９】
図９は従来例のＦＦＳモードの液晶表示装置のカラーフィルタ基板を透視して表した１
画素分の模式平面図である。図１０は図９のＸ−Ｘ線に沿った断面図である。
【００１０】
このＦＦＳモードの液晶表示装置７０は、アレイ基板ＡＲとカラーフィルタ基板ＣＦと
を備えている。アレイ基板ＡＲは、第１の透明基板７１の表面にそれぞれ平行に複数の走
査線７２及びコモン配線７３が設けられ、これら走査線７２及びコモン配線７３に交差す
る方向に複数の信号線７４が設けられている。そして、走査線７２及び信号線７４で区画
された領域のそれぞれを覆うようにコモン配線７３に接続されたＩＴＯ（Indium Tin Oxi
de）やＩＺＯ（indium Zinc Oxide）等からなる透明材料で形成された対向電極７５が設
けられている。この対向電極７５の表面に絶縁膜７６を介してストライプ状に複数のスリ
ット７７が形成されたＩＴＯ等の透明材料からなる画素電極７８が設けられている。そし
て、この画素電極７８及び複数のスリット７７部の表面は配向膜８０により被覆されてい
る。
【００１１】
そして、走査線７２と信号線７４との交差位置の近傍にはスイッチング素子としてのＴ
ＦＴが形成されている。このＴＦＴは、走査線７２の表面に半導体層７９が配置され、半
導体層７９の表面の一部を覆うように信号線７４の一部が延在されてソース電極Ｓを構成
し、半導体層７９の下部の走査線部分がゲート電極Ｇを構成し、また、半導体層７９の一
部分と重なる導電性層がドレイン電極Ｄを構成しており、このドレイン電極Ｄは画素電極
７８に接続されている。
【００１２】
また、カラーフィルタ基板ＣＦは、第２の透明基板８２の表面にカラーフィルタ層８３
、オーバーコート層８４及び配向膜８５が設けられた構成を有している。そして、アレイ
基板ＡＲの画素電極７８及び対向電極７５とカラーフィルタ基板ＣＦのカラーフィルタ層
８３とが互いに対向するように、アレイ基板ＡＲ及びカラーフィルタ基板ＣＦを対向させ
る。次いで、アレイ基板ＡＲとびカラーフィルタ基板の間に液晶ＬＣを封入すると共に、
両基板のそれぞれ外側に偏光板８６及び８７を偏光方向が互いに直交する方向となるよう
に配置することにより、ＦＦＳモードの液晶表示装置７０が形成される。
【００１３】
このＦＦＳモードの液晶表示装置７０は、画素電極７８と対向電極７５の間に電界を形
成すると、図１０に示したように、この電界は画素電極７８の両側で対向電極７５に向か
う。そのため、スリット７７に存在する液晶だけでなく画素電極７８上に存在する液晶も
動くことができる。従って、ＦＦＳモードの液晶表示装置７０は、ＩＰＳモードの液晶表
示装置５０よりも広視野角かつ高コントラストであり、更に高透過率であるため明るい表
示が可能となるという特徴を備えている。加えて、ＦＦＳモードの液晶表示装置７０は、
ＩＰＳモードの液晶表示装置５０よりも平面視で画素電極７８と対向電極７５との重複面
積が大きいためにより大きな保持容量が副次的に生じ、別途補助容量線を設ける必要がな
くなるという長所も存在する。
【特許文献１】特開平１０−３１９３７１号公報
【特許文献２】特開２００２−１３１７６７号公報
【特許文献３】特開２００２−  １４３６３号公報
【特許文献４】特開２００２−２４４１５８号公報
【発明の開示】
【発明が解決しようとする課題】
【００１４】
ところで、液晶表示装置は長時間使用すると焼き付き現象が生じることが知られている
。この焼き付きが生じる現象は、ＩＰＳモードの液晶表示装置の場合においてもＦＦＳモ
ードの液晶表示装置の場合においても同様に生じる。しかしながら、上述のようなＦＦＳ
モードの液晶表示装置においては、焼き付き現象が従来のＩＰＳモードの液晶表示装置に
比すると大きく表れることが見出されている。
【００１５】
この焼き付き現象の原因の１つとして、ＦＦＳモードの液晶表示装置ではスリットを有
する上電極が絶縁膜の表面に設けられているために段差が生じていることが挙げられる。
すなわち、ＩＰＳモードの液晶表示装置は、画素電極及び対向電極共に同一平面に形成さ
れているため、画素電極から液晶へ向かう電気力線の経路と液晶から対向電極へ向かう電
気力線の経路は対称となる。それに対し、ＦＦＳモードの液晶表示装置では、上電極から
液晶へ向かう電気力線の経路と液晶から下電極へ向かう電気力線の経路は非対称である。
この非対称領域の存在に起因して直流成分が発生するので、ＦＦＳモードの液晶表示装置
は、ＩＰＳモードの液晶表示装置よりも焼き付き現象が大きくなるのである。
【００１６】
このように、ＩＰＳモードの液晶表示装置は、ＦＦＳモードの液晶表示装置に比すると
焼き付き現象が少ないという特徴があるが、画素電極と対向電極とが重なっていないため
に別途保持容量を形成する必要があるため、開口率が下がり、輝度が上がらないという問
題点が存在する。加えて、ＩＰＳモードの液晶表示装置は、画素電極及び共通表通電極上
の液晶がほとんど動かないため、この部分でも輝度低下を引き起こす。
【００１７】
これに対し、ＦＦＳモードの液晶表示装置は、画素電極と対向電極と平面視で重畳して
いる所で容量が形成されるため、別途保持容量を形成する必要がないために開口度を高く
でき、しかも、画素電極の表面部分及びスリット部分の液晶も駆動されるため、より輝度
が向上する。しかしながら、ＦＦＳモードの液晶表示装置は、画素電極と対向電極との構
成が非対称であるため、ＩＰＳモードの液晶表示装置と比すると焼き付き現象が生じ易く
、また、保持容量は必ずしも十分ではないためにフリッカも生じやすいという問題点が存
在している。
【００１８】
本発明は、従来例のＩＰＳモードの液晶表示装置の問題点を解決すべくなされたもので
ある。すなわち、本発明は、開口率が大きくて明るい表示が可能なＦＦＳモードの性質を
兼ね備えたＩＰＳモードの液晶表示装置を提供することを目的とする。
【課題を解決するための手段】
【００１９】
上記目的を達成するため、本発明の液晶表示装置は、液晶層を挟持して対向配置された
一対の基板を有する液晶表示装置において、前記一対の基板の一方には、独立して駆動さ
れる画素が複数形成され、前記各画素内に、離間領域を挟んで平行に並んで形成されてい
る第１電極及び第２電極と、前記第１電極及び第２電極より基板側に絶縁層を介して形成
された第３電極とを備え、前記第３電極は、前記第１電極と平面視で重なるように形成さ
れていると共に、前記第２電極と電気的に接続されていることを特徴とする。
【００２０】
本発明の液晶表示装置においては、第１電極及び第２電極は、各画素において離間領域
を挟んで平行に並んで形成されており、ＩＰＳモードの液晶表示装置の画素電極及び対向
電極と同様の構成を備えている。なお、本発明における「平行」とは、交差していなけれ
ば必ずしも完全に平行でなくてもよく、「く」字状ないしジグザグ状のものも含む意味で
用いられている。また、本発明における「離間領域を挟んで平行」とは、平面視で第１電
極及び第２電極が所定距離離間して互いに平行になるように形成されていればよいことを
意味する。従って本発明の液晶表示装置においては、第１電極及び第２電極は同一平面に
形成されていても互いに異なる平面に形成されていてもよい。そして、第３電極は、第２
電極と電気的に接続されているので、第２電極の性質に対応して画素電極又は対向電極と
して機能する。そのため、第３電極と第１電極との間でＦＦＳモードの液晶表示装置のよ
うな大きな容量を形成することができるので、別途補助容量を形成する必要がなくなるた
め、開口率を上げることが可能となる。
【００２１】
また、第３電極と電気的に接続されていない第１電極の表面上の液晶は、ＦＦＳモード
の液晶表示装置のように駆動されるため、かかる点でも輝度上昇が可能となる。加えて、
電極の対称性についてはＩＰＳモード及びＦＦＳモードの中間の構成となり、直流成分が
発生することが低減され、焼き付き現象及びフリッカも改善される。従って、本発明によ
れば、ＩＰＳモード及びＦＦＳモードの両者の利点を兼ね備えた明るい表示の液晶表示装
置が得られる。
【００２２】
係る態様の液晶表示装置においては、前記第１電極と第２電極との間及び前記第１電極
と第３電極との間には、それぞれ電界が形成されるようになされていることが好ましい。
【００２３】
係る態様の液晶表示装置によれば、第１電極と第２電極との間に形成された電界によっ
てＩＰＳモードの液晶表示装置のように作動し、第１電極と第３電極との間に形成された
電界によってＦＦＳモードの液晶表示装置のように作動する。なお、第１電極を画素電極
とて作動させるか共通電極として作動させるかは任意であり、第２電極及び第３電極は、
第１電極が画素電極として作動するか共通電極として作動するかに応じて、共通電極又は
画素電極として作動する。
【００２４】
係る態様の液晶表示装置においては、前記第３電極は透明導電性材料で形成されている
ことが好ましい。
【００２５】
係る態様の液晶表示装置によれば、第３電極が透明導電性材料で形成されているため、
特に第３電極によってバックライトからの光が遮光されることがなくなるので、明るい表
示の液晶表示装置が得られる。また、本発明における第１電極及び第２電極は、従来のＩ
ＰＳモードの液晶表示装置のように金属材料で形成をすることもができるが、輝度上昇と
いう点から透明導電性材料した方がよい。なお、透明導電性材料としては、ＩＴＯないし
ＩＺＯ等の周知のものを使用し得る。
【００２６】
また、本発明の液晶表示装置においては、前記第３電極は前記各画素に亘って共通にベ
タ状に形成されていることが好ましい。
【００２７】
係る態様の液晶表示装置によれば、第３電極の面積が大きくなって抵抗値が小さくなる
ため、第３電極に印加される信号の劣化が少なくなり、よりフリッカが少なくなる。
【００２８】
また、本発明の液晶表示装置においては、前記第１電極及び第２電極は、同一平面に、
共に櫛歯状に形成され、予め定めた所定処理隔てて互いに噛み合うように配置されている
ことが好ましい。
【００２９】
係る態様の液晶表示装置によれば、１画素内で液晶が駆動される領域と駆動され難い領
域とが細分化されるため、見かけ上１画素内で均質に液晶が駆動された状態となるので、
表示画質が向上する。また、係る態様の液晶表示装置によれば、第１電極と第２電極とが
同一平面に形成されているので、ＩＰＳ構造を有するものとなり、ＩＰＳモードの液晶表
示装置の独自の効果が奏されるようになる。
【００３０】
また、本発明の液晶表示装置においては、前記第１電極及び第２電極は、互いに前記基
板の一方に形成された走査線又は信号線に沿って伸びた櫛歯状ものとすることができる。
【００３１】
係る態様の液晶表示装置によれば、スイッチング素子の近傍等、ＩＰＳ構造を形成でき
ない狭い領域ではＦＦＳ構造をとることができるので、無駄なく開口率を大きくすること
ができるようになる。
【００３２】
また、本発明の液晶表示装置においては、前記第３電極は前記画素毎に形成された平坦
化膜の表面に形成されていることが好ましい。
【００３３】
画素毎に平坦化膜が形成されていると、平坦化膜の表面に形成される各電極は、例えば
スイッチング素子等の存在による凹凸が均されて平らになるため、セルギャップが均一化
される。そのため、係る態様の液晶表示装置によれば、表示画質が良好な液晶表示装置が
得られる。
【発明を実施するための最良の形態】
【００３４】
以下、図面を参照して本発明の最良の実施形態を説明する。但し、以下に示す実施形態
は、本発明の技術思想を具体化するための液晶表示装置を例示するものであって、本発明
をこの液晶表示装置に特定することを意図するものではなく特許請求の範囲に含まれるそ
の他の実施形態のものにも等しく適応し得るものである。また、この明細書における説明
のために用いられた各図面においては、各層や各部材を図面上で認識可能な程度の大きさ
とするため、各層や各部材毎に縮尺を異ならせて表示しており、必ずしも実際の寸法に比
例して表示されているものではない。
【００３５】
図１は第１の実施形態に係る液晶表示装置のカラーフィルタ基板を透視して表した１画
素分の概略平面図である。図２は図１のII−II線に沿った断面図である。図３は図１のII
I−III線に沿った断面図である。図４は第２の実施形態に係る液晶表示装置のカラーフィ
ルタ基板を透視して表した１画素分の概略平面図である。図５は図４のＶ−Ｖ線に沿った
断面図である。図６は図４のVI−VI線に沿った断面図である。
【００３６】
［第１の実施形態］
この第１の実施形態の液晶表示装置１０Ａは、アレイ基板（第１基板）ＡＲと、カラー
フィルタ基板（第２基板）ＣＦとを備えている。アレイ基板ＡＲは、ガラス基板等の第１
の透明基板１１の表示領域の表面には、マトリクス状に複数の走査線１２及び信号線１３
が互いにゲート絶縁膜１４で絶縁された状態で交差するように形成されており、更に、表
示領域の周縁部にはコモン配線（図示省略）が形成されている。これらの走査線１２及び
信号線１３で囲まれたそれぞれの領域が各画素（「サブ画素」ともいう）を形成する。ま
た、第１の透明基板１１には画素毎にスイッチング素子として例えばＴＦＴが形成されて
おり、このＴＦＴを含む第１の透明基板１１の表面全体に亘って例えば窒化ケイ素層ない
し酸化ケイ素層からなるパッシベーション膜１５で被覆されている。
【００３７】
そして、パッシベーション膜１５の表面には有機材料からなる平坦化膜１６が形成され
ており、この平坦化膜１６及びパッシベーション膜１５にはＴＦＴのドレイン電極Ｄに対
応する位置に第１のコンタクトホール１７が形成されている。そして、平坦化膜１６の表
面には、ＴＦＴが形成されている領域及び第１のコンタクトホール１７が形成されている
領域を除いて、ベタ状にＩＴＯないしＩＺＯ等の透明導電性材料からなる下電極１８が形
成されている。この下電極１８は本発明における第３電極に対応する。また、第１の実施
形態の液晶表示装置１０Ａにおいては、下電極１８は、表示領域の周縁部でコモン配線に
電気的に接続されており、対向電極として機能する。
【００３８】
更に、下電極１８が形成された第１の透明基板１１の表面全体に亘って窒化ケイ素層な
いし酸化ケイ素層からなる絶縁膜１９が形成されている。この絶縁膜１９の表面には、そ
れぞれの画素に、予め定めた所定距離離れた離間領域２０を挟んで互いに信号線１３に沿
って延びた櫛歯状の一対の第１電極２１及び第２電極２２が形成されている。この第１電
極２１及び第２電極２２は、明るい表示ができるようにするためにはＩＴＯないしＩＺＯ
等の透明導電性材料で形成することが好ましいが、アルミニウム等の金属材料で形成する
こともできる。
【００３９】
この第１の実施形態の液晶表示装置１０Ａにおいては、第１電極２１が第１のコンタク
トホール１７を経てＴＦＴのドレイン電極Ｄに電気的に接続されており、第２電極２２は
絶縁膜１９に形成された第２のコンタクトホール２３を経て下電極１８に電気的に接続さ
れている。従って、第１電極２１は画素電極として機能し、第２電極２２は下電極１８と
同様に対向電極として機能する。なお、第１電極２１と第２電極２２（及び下電極１８）
のうち、どちらをＴＦＴのドレイン電極と接続するか及びどちらをコモン配線と電気的に
接続するかは任意である。また、第１電極２１及び第２電極２２の表面を含み、表示領域
全体に亘って第１の配向膜２４が形成されている。
【００４０】
また、カラーフィルタ基板ＣＦは、図１に示したように、ガラス基板等の第２の透明基
板２５の表面に、アレイ基板ＡＲの走査線１２、信号線１３、第１のコンタクトホール１
７、第２のコンタクトホール２３及びＴＦＴに対応する位置を被覆するように遮光膜２６
が形成されている。更に、遮光膜２６で囲まれた第２の透明基板２５の表面には、所定の
色のカラーフィルタ層２７が形成されている。また、遮光膜２６及びカラーフィルタ層２
７の表面を被覆するようにオーバーコート層２８が形成されている。そして、オーバーコ
ート層２８の表面には第２の配向膜２９が形成されている。
【００４１】
そして、アレイ基板ＡＲの第１電極２１及び第２電極２２とカラーフィルタ基板ＣＦの
カラーフィルタ層２７とが互いに対向するように、アレイ基板ＡＲとカラーフィルタ基板
ＣＦが対向され、その間に液晶３０が封入されている。更に、アレイ基板ＡＲの外側に第
１の偏光板３１及びバックライト装置（図示省略）が配置され、カラーフィルタ基板ＣＦ
の外側に第２の偏光板３２が配置されて第１の実施形態の液晶表示装置１０Ａが完成され
る。
【００４２】
この第１の実施形態の液晶表示装置１０Ａの動作は以下のとおりである。すなわち、こ
の液晶表示装置１０Ａでは、第１電極２１が画素電極として機能し、第２電極２２及び下
電極１８が対向電極として作動する。そのため、液晶表示装置１０Ａが作動状態とされる
と、図３に示すように、第１電極２１と第２電極２２との間に電界Ｅ１が、第１電極２１
と下電極１８との間には電界Ｅ２が印加される。
【００４３】
第１電極２１と第２電極２２との間に印加された電界Ｅ１による動作は、第１電極２１
及び第２電極２２が同一平面に存在しているので、図９及び図１０に示した従来例のＩＰ
Ｓモードの液晶表示装置５０の場合と同様である。また、第１電極２１と下電極１８との
間に印加された電界Ｅ２による動作は、第１電極２１と下電極１８が絶縁膜１９を介して
互いに平面視で重なっているので、図１１及び図１２に示した従来例のＦＦＳモードの液
晶表示装置７０の場合と同様である。従って、第１の実施形態の液晶表示装置１０Ａは、
第１電極２１と第２電極２２との間でＩＰＳモードの液晶表示装置として作動し、第１電
極２１と下電極１８との間でＦＦＳモードの液晶表示装置として作動することになる。
【００４４】
従って、第１の実施形態の液晶表示装置１０Ａは、第１電極２１と下電極１８とが平面
視で重畳しているので、第１電極２１と下電極１８との間には大きな容量が形成されるた
め、別途保持容量を形成する必要がなくなるので、開口率を大きくすることができる。し
かも、第１電極２１の表面の液晶はＦＦＳモードの液晶表示装置のように駆動されるため
、ＩＰＳモードの液晶表示装置の場合よりも輝度が上昇する。加えて、電極の対称性につ
いてはＩＰＳモード及びＦＦＳモードの中間の構成となるから、直流成分が発生すること
が低減され、焼き付き現象及びフリッカも改善される。従って、第１の実施形態の液晶表
示装置１０Ａによれば、ＩＰＳモード及びＦＦＳモードの両者の利点を兼ね備えた明るい
表示の液晶表示装置が得られる。
【００４５】
［第２の実施形態］
次に、第２の実施形態の液晶表示装置１０Ｂを図４〜図６を用いて説明する。なお、図
４〜図６においては、図１〜図３に示した第１の実施形態の液晶表示装置１０Ａと同一の
構成部分には同一の参照符号を付与してその詳細な説明は省略する。
【００４６】
第２の実施形態の液晶表示装置１０Ｂが第１の実施形態の液晶表示装置１０Ａと構成が
相違する点は、第１の実施形態の液晶表示装置１０Ａでは第１電極２１及び第２電極２２
をそれぞれ信号線１３に沿って伸びる櫛歯状とされているが、第２の実施形態の液晶表示
装置１０Ｂでは第１電極２１及び第２電極２２をそれぞれ走査線１２に沿って伸びる櫛歯
状に形成した点である。このような構成とすると、ＴＦＴの近傍の狭い破線で囲まれた領
域Ｙでは第１電極２１と第２電極２２とを互いに櫛歯状に配置できない領域が生じる。
【００４７】
しかしながら、この狭い領域Ｙにおいて画素電極として機能する第１電極２１のみを櫛
歯状に配置することができる。そのため、第２の実施形態の液晶表示装置１０Ｂではこの
狭い領域Ｙの部分ではＦＦＳモードで動作させることができるため、第１の実施形態の液
晶表示装置１０Ａの場合と同様の効果を奏しながらも無駄なく開口率を大きくすることが
できるようになる。
【００４８】
なお、上述の第１及び第２の実施形態においては、第１電極２１及び第２電極２２とし
て共に櫛歯状とした例を示したが、これらの櫛歯状部分は必ずしも直線状となっている必
要はない。すなわち、これらの櫛歯状部分は、交差していなければ必ずしも完全に平行で
なくても曲がっていてもよく、例えば互いに「く」字状ないしはジグザグ状となっていて
もよい。このような構成とすると得られる液晶表示装置の表示画質の視角依存性が低下す
る。
【図面の簡単な説明】
【００４９】
【図１】第１の実施形態に係る液晶表示装置のカラーフィルタ基板を透視して表した１画素分の概略平面図である。
【図２】図１のII−II線に沿った断面図である。
【図３】図１のIII−III線に沿った断面図である。
【図４】第２の実施形態に係る液晶表示装置のカラーフィルタ基板を透視して表した１画素分の概略平面図である。
【図５】図４のＶ−Ｖ線に沿った断面図である。
【図６】図４のVI−VI線に沿った断面図である。
【図７】従来例のＩＰＳモードの液晶表示装置のカラーフィルタ基板を透視して表した１画素分の模式平面図である。
【図８】図７のVIII−VIIIに沿った断面図である。
【図９】従来例のＦＦＳモードの液晶表示装置のカラーフィルタ基板を透視して表した１画素分の模式平面図である。
【図１０】図９のＸ−Ｘ線に沿った断面図である。
【符号の説明】
【００５０】
１０Ａ、１０Ｂ：液晶表示装置  １１：第１の透明基板  １２：走査線  １３：信号線  
１４：ゲート絶縁膜  １５：パッシベーション膜  １６：平坦化膜  １７：第１のコンタ
クトホール  １８：下電極（第３電極）  １９：絶縁膜  ２０：離間領域  ２１：第１電
極  ２２：第２電極  ２３：第２のコンタクトホール  ２４：第１の配向膜  ２５：第２
の透明基板  ２６：遮光膜  ２７：カラーフィルタ層  ２８：オーバーコート層  ２９：
第２の配向膜  ３０：液晶  ３１：第１の偏光板  ３２：第２の偏光板
【図１】
2009186869.tif 000003
【図２】
2009186869.tif 000004
【図３】
2009186869.tif 000005
【図４】
2009186869.tif 000006
【図５】
2009186869.tif 000007
【図６】
2009186869.tif 000008
【図７】
2009186869.tif 000009
【図８】
2009186869.tif 000010
【図９】
2009186869.tif 000011
【図１０】
2009186869.tif 000012